(57)【要約】【課題】  電話帳に登録されたメールアドレスを容易にかつ正確に変更することのできるメール機能付き通信端末を得る。【解決手段】  メールアドレスを変更する通信端末は、メールを送受信する無線部を備え、自端末のメールアドレスを変更する前後で同一のキーコードを含むメールアドレス変更通知メールを上記無線部を介して送信するようにした。また、電話帳に記憶している他端末のメールアドレスを変更する通信端末は、メールを送受信する無線部と、複数のメールアドレスを記憶するメモリダイヤル情報記憶部とを備え、上記無線部が同一のキーコードを含む２通のメールを受信したとき、２通目のメールのメールアドレスを上記メモリダイヤル情報記憶部に記憶するようにした。【選択図】          図１
2006222575.tif 000002
【特許請求の範囲】
【請求項１】
メールを送受信する無線部を備え、自端末のメールアドレスを変更する前後で同一のキーコードを含むメールアドレス変更通知メールを上記無線部を介して送信することを特徴とするメール機能付き通信端末。
【請求項２】
変更前のメールアドレスを用いて１通目のメールアドレス変更通知メールを送信し、変更後のメールアドレスを用いて２通目のメールアドレス変更通知メールを送信することを特徴とする請求項１記載のメール機能付き通信端末。
【請求項３】
メールアドレスの変更開始時に１通目のメールアドレス変更通知メールを送信し、メールアドレスの変更完了時に２通目のメールアドレス変更通知メールを送信することを特徴とする請求項１記載のメール機能付き通信端末。
【請求項４】
自端末のメールアドレスの変更を通知する他の通信端末のメールアドレスを記憶する通知アドレス記憶部を備え、この通知アドレス記憶部の記憶するメールアドレスを有する上記他の通信端末へメールアドレス変更通知を送信することを特徴とする請求項１記載のメール機能付き通信端末。
【請求項５】
メールを送受信する無線部と、複数のメールアドレスを記憶するメモリダイヤル情報記憶部とを備え、上記無線部が同一のキーコードを含む２通のメールを受信したとき、２通目のメールのメールアドレスを上記メモリダイヤル情報記憶部に記憶することを特徴とするメール機能付き通信端末。
【請求項６】
１通目のメールのメールアドレスが上記メモリダイヤル情報記憶部に記憶されているとき、当該メールアドレスを２通目のメールのメールアドレスに変更して上記メモリダイヤル情報記憶部に記憶することを特徴とする請求項３記載のメール機能付き通信端末。
【請求項７】
メールを配信するメール配信部を備え、管理端末のメールアドレスを変更する前後で同一のキーコードを含むメールアドレス変更通知メールを上記メール配信部を介して他の通信端末へ送信することを特徴とするメールサーバ。
【請求項８】
変更前のメールアドレスを用いて１通目のメールアドレス変更通知メールを送信し、変更後のメールアドレスを用いて２通目のメールアドレス変更通知メールを送信することを特徴とする請求項７記載のメールサーバ。
【請求項９】
メールアドレスの変更開始時に１通目のメールアドレス変更通知メールを送信し、メールアドレスの変更完了時に２通目のメールアドレス変更通知メールを送信することを特徴とする請求項７記載のメールサーバ。
【請求項１０】
管理端末のメールアドレスの変更を通知する他の通信端末のメールアドレスを記憶する通知アドレス記憶部を備え、この通知アドレス記憶部の記憶するメールアドレスを有する上記他の通信端末へメールアドレス変更通知を送信することを特徴とする請求項７記載のメールサーバ。
【発明の詳細な説明】
【技術分野】
【０００１】
この発明は、メール送受信機能を有する、例えば携帯電話機等の通信端末及びこの通信端末のメール制御を管理するメールサーバに関する。
【背景技術】
【０００２】
従来技術として、送信側では自機のメールアドレスを含むメール関連アドレス情報をメール文に付加して送信し、受信側では、メール関連アドレス情報の付加されたメール文受信時にそのメール関連アドレス情報が自機メモリに全く未登録であればそれを自動登録し、部分的に登録されていたり変更されていたりするときは受信メール文中のメール関連アドレス情報によりその登録内容を自動更新することで、メール関連アドレス情報の登録を自動化して操作性を向上した携帯電話機がある（例えば、特許文献１参照）。
【０００３】
【特許文献１】特開２００２−１６３２０４号公報（第３頁、図１）
【発明の開示】
【発明が解決しようとする課題】
【０００４】
従来技術において、メモリダイヤル情報の自動更新を実現しようとした場合、メール関連アドレス情報が付加されていれば必ず新規登録や登録更新を行うので、迷惑メールなどのメールアドレスも自動的に登録してしまったり、いたずらで登録内容を変更されてしまったりする問題点があった。
【０００５】
この発明は、上記のような問題点を解消するためになされたもので、電話帳に登録されたメールアドレスを容易にかつ正確に変更することのできるメール機能付き通信端末を得ることを目的とするものである。
【課題を解決するための手段】
【０００６】
この発明に係るメール機能付き通信端末は、メールを送受信する無線部を備え、自端末のメールアドレスを変更する前後で同一のキーコードを含むメールアドレス変更通知メールを上記無線部を介して送信するようにしたものである。
【０００７】
また、この発明に係るメール機能付き通信端末は、メールを送受信する無線部と、複数のメールアドレスを記憶するメモリダイヤル情報記憶部とを備え、上記無線部が同一のキーコードを含む２通のメールを受信したとき、２通目のメールのメールアドレスを上記メモリダイヤル情報記憶部に記憶するようにしたものである。
【０００８】
さらに、この発明に係るメールサーバは、メールを配信するメール配信部を備え、管理端末のメールアドレスを変更する前後で同一のキーコードを含むメールアドレス変更通知メールを上記メール配信部を介して他の通信端末へ送信するようにしたものである。
【発明の効果】
【０００９】
この発明に係るメール機能付き通信端末は、自端末のメールアドレスを変更する前後で同一のキーコードを含むメールアドレス変更通知メールを無線部を介して送信、又は無線部が同一のキーコードを含む２通のメールを受信したとき、２通目のメールのメールアドレスをメモリダイヤル情報記憶部に記憶するようにしたので、メモリダイヤル情報記憶部に登録されたメールアドレスを容易にかつ正確に変更することができる効果がある。
【００１０】
また、この発明に係るメールサーバは、管理下の通信端末のメールアドレスを変更する前後で同一のキーコードを含むメールアドレス変更通知メールを他の通信端末へ送信するようにしたので、他の通信端末のメモリダイヤル情報記憶部に登録されたメールアドレスを容易にかつ正確に変更させることができる効果がある。
【発明を実施するための最良の形態】
【００１１】
実施の形態１．
図１は、実施の形態１に係るメール機能付き通信端末としての携帯電話機のブロック構成図である。図において、無線通信するためのアンテナ１は、通話相手から電波を受信して、無線部２へ入力する。無線部２では入力した信号を増幅及び周波数変換して制御部３へ入力する。制御部３は、携帯電話機全体の制御を司るものであり、ＲＯＭ４に記憶されているプログラムにしたがって動作する。
着信があった場合、制御部３はスピーカ（図示せず）を鳴動すると共に表示部５に着信表示し、ユーザが操作部６を操作して着信応答すると、通話相手の端末と回線を接続して、マイク７及びレシーバ８を使った通話を可能にする。
同様に、メール着信があった場合、制御部３はスピーカを鳴動すると共に表示部５にメール着信表示し、ユーザが操作部６を用いてメールの確認操作をすると、表示部５に受信したメールの内容を表示する。
ＲＡＭ９は、メモリダイヤル情報記憶部１０とキーコード記憶部１１を有しており、メモリダイヤル情報記憶部１０には名前、電話番号及びメールアドレスを含む電話帳データを記憶し、キーコード記憶部１１にはキーコード生成部１２で生成されたキーコードを記憶している。
【００１２】
図２は、実施の形態１〜３に係るメモリダイヤル情報記憶部１０に記憶されている電話帳データの記録テーブルを示す構成図であり、メモリ番号、名前、フリガナ、電話番号、メールアドレス、アドレス変更フラグ及びキーコードで構成されている。
【００１３】
まず、メールアドレスを変更するときの携帯電話機の動作について説明する。
図３は、実施の形態１に係る携帯電話機のメールアドレスを変更するユーザがアドレス変更開始通知メールを他の通信端末に送信する動作を示すフローチャートである。
まず、ユーザが操作部６を用いてアドレス変更開始通知メールを作成する（ステップ３−１）と、制御部３は作成されたメールがアドレス変更開始通知メールであるか否かを判断する（ステップ３−２）。
この判断で、作成されたメールがアドレス変更開始通知メールでないと判断されると、制御部３は無線部２及びアンテナ１を介して、作成したメールを送信して（ステップ３−３）、処理を終了する。
【００１４】
ステップ３−２の判断で、作成されたメールがアドレス変更開始通知メールであると判断されると、制御部３はキーコード生成部１２にキーコードを生成させ（ステップ３−４）、生成したキーコードをアドレス変更開始通知メールに付加して（ステップ３−５）、メールを送信する（ステップ３−６）。制御部３は、アドレス変更開始通知メールに付加したキーコードをキーコード記憶部１１に保存して（ステップ３−７）、処理を終了する。
【００１５】
図４は、実施の形態１に係るユーザが携帯電話機のメールアドレスを変更した後、アドレス変更完了通知メールを他のメール付き通信端末に送信する動作を示すフローチャートである。
ユーザが携帯電話機のメールアドレス変更の手続を行い、新しいメールアドレスへの移行が完了した（ステップ４−１）とき、制御部３はキーコード記憶部１１にキーコードが保存されているか判断する（ステップ４−２）。
この判断で、キーコード記憶部１１にキーコードが保存されていないと判断されると、処理は終了する。
ステップ４−２の判断で、キーコード記憶部１１にキーコードが保存されていると判断されると、制御部３は、アドレス変更完了通知メールの作成を開始する（ステップ４−３）。制御部３は、キーコード記憶部１１のキーコードを読み出し（ステップ４−４）、アドレス変更完了通知メールに読み出したキーコードを付加して（ステップ４−５）、ユーザが操作部６を用いて指定した送信先へメールを送信する（ステップ４−６）。制御部３は、アドレス変更完了通知メールに付加したキーコードをキーコード記憶部１１から削除して（ステップ４−７）、処理を終了する。
【００１６】
図３及び図４の動作によって、携帯電話機は、メールアドレスを変更する前後に同一のキーコードを付加したメールを他の通信端末へ送信することになる。
【００１７】
次に、実施の形態１〜３に係る通信端末におけるメールアドレス変更開始通知メール及びメールアドレス変更完了通知メールを受信する動作について図５のフローチャートを用いて説明する。
まず、アンテナ１及び無線部を介してメールを受信する（ステップ５−１）と、制御部３は受信したメールがアドレス変更開始通知メールか否かを判断する（ステップ５−２）。
この判断で、受信したメールがアドレス変更開始通知メールであると判断されると、制御部３は、受信したメールからキーコード（ステップ５−３）と送信元アドレスを抽出する（ステップ５−４）。制御部３は、抽出した送信元アドレスがメモリダイヤル情報記憶部１０に登録されているか否かを判断する（ステップ５−５）。
この判断で、抽出した送信元アドレスがメモリダイヤル情報記憶部１０に登録されていると判断されると、制御部３は、送信元アドレスと対応付けてアドレス変更フラグと抽出したキーコードを保存して（ステップ５−６）、処理を終了する。
【００１８】
ステップ５−５の判断で、抽出した送信元アドレスがメモリダイヤル情報記憶部１０に登録されていないと判断されると、制御部３は受信したメールを破棄して（ステップ５−７）、処理を終了する。
【００１９】
ステップ５−２の判断で、受信したメールがアドレス変更開始通知メールでないと判断されると、制御部３は、受信したメールがアドレス変更完了通知メールであるか否かを判断する（ステップ５−８）。
この判断で、受信したメールがアドレス変更完了通知メールでないと判断されると、制御部３は処理を終了する。
【００２０】
ステップ５−８の判断で、受信したメールがアドレス変更完了通知メールであると判断されると、制御部３は、受信したメールからキーコード（ステップ５−９）と送信元アドレスを抽出する（ステップ５−１０）。制御部３は、抽出したキーコードがメモリダイヤル情報記憶部１０に保存されているか否かをチェックする（ステップ５−１１）。
この判断で、抽出したキーコードがメモリダイヤル情報記憶部１０に保存されていると判断されると、制御部３は、キーコードに対応付けられたメールアドレスを抽出した送信元アドレスに変更し、アドレス変更フラグとキーコードを削除して（ステップ５−１２）、処理を終了する。
【００２１】
ステップ５−１１の判断で、抽出したキーコードがメモリダイヤル情報記憶部１０に保存されていないと判断されると、制御部３は受信したメールを破棄して（ステップ５−１３）、処理を終了する。
【００２２】
このように、メールを受信した通信端末が、受信した２つのメールに付加されているキーコードを照合し、それらが一致した場合にのみ電話帳のメールアドレスのデータを登録するようにしたので、不要なメールアドレスの電話帳への登録を防ぐことができる。
【００２３】
電話帳に登録されているメールアドレスのみを更新できるようにしたので、不要なメールアドレスの電話帳への登録を防ぐことができる。
【００２４】
実施の形態２．
図６は、実施の形態２に係るメール機能付き通信端末としての携帯電話機のブロック構成図であり、図１のＲＡＭ９にアドレス変更開始通知メール及びアドレス変更完了通知メールを送信するメールアドレスを記憶する通知アドレス記憶部１３を加えたものである。通知アドレス記憶部１３には、ユーザが予め登録したものが記憶されている。
【００２５】
図７は、実施の形態２に係る携帯電話機のメールアドレスを変更するユーザがアドレス変更開始通知メール及びアドレス変更開始通知メールを他の通信端末に送信する動作を示すフローチャートである。
【００２６】
まず、ユーザが携帯電話機のメールアドレスを変更する手続きを開始する（ステップ７−１）と、制御部３は、アドレス変更開始通知メールを作成し（ステップ７−２）、キーコード生成部１２にキーコードを生成させて（ステップ７−３）、生成したキーコードをアドレス変更開始通知メールに付加する（ステップ７−４）。制御部３は、通知アドレス記憶部１３からメールアドレスの変更を通知するメールアドレスを取得し（ステップ７−５）、取得したメールアドレスを有する通信端末へアドレス変更開始通知メールを送信する（ステップ７−６）。そして、制御部３は、アドレス変更開始通知メールに付加したキーコードをキーコード記憶部１１に保存する（ステップ７−７）。
【００２７】
その後、ユーザが携帯電話機のメールアドレス変更手続きをして、新しいメールアドレスへの移行が完了した（ステップ７−８）とき、制御部３はアドレス変更完了通知メールの作成を開始する（ステップ７−９）。制御部３はキーコード記憶部１１からキーコードを読み出し（ステップ７−１０）、アドレス変更完了通知メールに読み出したキーコードを付加する（ステップ７−１１）。制御部３は、通知アドレス記憶部１３からメールアドレスの変更を通知するメールアドレスを取得し（ステップ７−１２）、取得したメールアドレスを有する通信端末へアドレス変更完了通知メールを送信する（ステップ７−１３）。制御部３は、アドレス変更完了通知メールに付加したキーコードをキーコード記憶部１１から削除し（ステップ７−１４）、携帯電話機のメールアドレスを変更する手続きを完了して（ステップ７−１５）、処理を終了する。
【００２８】
メールアドレス変更開始通知メール及びメールアドレス変更完了通知メールを受信した通信端末の動作については、実施の形態１と同様である。
【００２９】
このように、実施の形態２では、ユーザがメールアドレスの変更処理を行うときに、携帯電話機が自動でアドレス変更開始通知メール及びアドレス変更完了通知メールを送付するようにしたので、ユーザがアドレス変更開始通知メール及びアドレス変更完了通知メールを作成する手間を省くことができる。
【００３０】
実施の形態３．
図８は、実施の形態３に係るメールアドレス変更通知システムを示す構成図であり、図において、複数の携帯電話機１４〜１６が無線通信網１７を介してメールサーバ１８と接続されている。
メールサーバ１８は、ユーザデータ記憶部１９を含む記憶領域２０、メール配信部２１、メール受信部２２、メールアドレス管理部２３、キーコード生成部２４及びメールサーバ１８の各部を制御するサーバ制御部２５を有している。ユーザデータ記憶部１９は、メールアドレスを含むユーザアカウントデータを記憶しており、さらに、メールアドレスの変更を通知するメールアドレスを記憶する通知アドレス記憶部２６及びキーコード生成部２４が生成したキーコードを記憶するキーコード記憶部２７を有している。また、メール受信部２２が携帯電話機１４〜１６から送信されたメールを受け取ると、サーバ制御部２５はメール配信部２１にメールに記載されている送付先アドレスへの配信を行わせる。メールアドレス管理部２３が、携帯電話機１４〜１６からのメールアドレス変更のリクエストを受けると、サーバ制御部２５はユーザデータ記憶部１９に記憶しているユーザアカウントデータに含まれるメールアドレスを変更する。また、メールアドレス管理部２３が携帯電話機１４〜１６からの通知アドレス登録のリクエストを受けると、サーバ制御部２５は通知アドレス記憶部２６に記憶されているメールアドレスの変更を通知するメールアドレスを更新する。
【００３１】
図９は、実施の形態３に係るサーバがメールアドレスを変更する携帯電話機１４のアドレス変更開始通知メール及びアドレス変更開始通知メールを他の通信端末に送信する動作を示すフローチャートである。
【００３２】
まず、ユーザがメールサーバ１８のメールアドレス管理部２３を介して携帯電話機１４のメールアドレスを変更する手続きを開始する（ステップ９−１）と、サーバ制御部２５は、アドレス変更開始通知メールを作成し（ステップ９−２）、キーコード生成部２４にキーコードを生成させて（ステップ９−３）、生成したキーコードをアドレス変更開始通知メールに付加する（ステップ９−４）。サーバ制御部２５は、通知アドレス記憶部２６からメールアドレスの変更を通知するメールアドレスを取得し（ステップ９−５）、取得したメールアドレスを有する通信端末へメール配信部２１を介してアドレス変更開始通知メールを送信する（ステップ９−６）。そして、サーバ制御部２５は、アドレス変更開始通知メールに付加したキーコードをキーコード記憶部２７に保存する（ステップ９−７）。
【００３３】
その後、ユーザによって携帯電話機１４のメールアドレス変更手続きをして、新しいメールアドレスへの移行が完了した（ステップ９−８）とき、サーバ制御部２５はアドレス変更完了通知メールの作成を開始する（ステップ９−９）。サーバ制御部２５はキーコード記憶部２７からキーコードを読み出し（ステップ９−１０）、アドレス変更完了通知メールに読み出したキーコードを付加する（ステップ９−１１）。サーバ制御部２５は、通知アドレス記憶部２６からメールアドレスの変更を通知するメールアドレスを取得し（ステップ９−１２）、取得したメールアドレスを有する通信端末へメール配信部２１を介してアドレス変更完了通知メールを送信する（ステップ９−１３）。サーバ制御部２５は、アドレス変更完了通知メールに付加したキーコードをキーコード記憶部２７から削除し（ステップ９−１４）、携帯電話機１４のメールアドレスを変更する手続きを完了して（ステップ９−１５）、処理を終了する。
【００３４】
メールアドレス変更開始通知メール及びメールアドレス変更完了通知メールを受信した通信端末の動作については、実施の形態１と同様である。
【００３５】
このように、実施の形態３では、ユーザがメールアドレスの変更処理を行うときに、メールサーバ１８が自動でアドレス変更開始通知メール及びアドレス変更完了通知メールを送付するようにしたので、ユーザが手動でアドレス変更開始通知メール及びアドレス変更完了通知メールを作成する手間を省くことができる。また、携帯電話機１４〜１６からのメール送信要求が不要になるので、通信トラフィックを軽減することができる。
【図面の簡単な説明】
【００３６】
【図１】実施の形態１に係るメール機能付き通信端末としての携帯電話機のブロック構成図である。
【図２】実施の形態１〜３に係るメモリダイヤル情報記憶部１０に記憶されている電話帳データの記録テーブルを示す構成図である。
【図３】実施の形態１に係る携帯電話機のメールアドレスを変更するユーザがアドレス変更開始通知メールを他の通信端末に送信する動作を示すフローチャートである。
【図４】実施の形態１に係るユーザが携帯電話機のメールアドレスを変更した後、アドレス変更完了通知メールを他のメール付き通信端末に送信する動作を示すフローチャートである。
【図５】実施の形態１〜３に係る通信端末におけるメールアドレス変更開始通知メール及びメールアドレス変更完了通知メールを受信する動作を示すフローチャートである。
【図６】実施の形態２に係るメール機能付き通信端末としての携帯電話機のブロック構成図である。
【図７】実施の形態２に係る携帯電話機のメールアドレスを変更するユーザがアドレス変更開始通知メール及びアドレス変更開始通知メールを他の通信端末に送信する動作を示すフローチャートである。
【図８】実施の形態３に係るメールアドレス変更通知システムを示す構成図である。
【図９】実施の形態３に係るサーバがメールアドレスを変更する携帯電話機のアドレス変更開始通知メール及びアドレス変更開始通知メールを他の通信端末に送信する動作を示すフローチャートである。
【符号の説明】
【００３７】
２  無線部
３  制御部
１０  メモリダイヤル情報記憶部
１３  通知アドレス記憶部
１８  メールサーバ
２１  メール配信部
２５  サーバ制御部
２６  通知アドレス記憶部
【図１】
2006222575.tif 000003
【図２】
2006222575.tif 000004
【図３】
2006222575.tif 000005
【図４】
2006222575.tif 000006
【図５】
2006222575.tif 000007
【図６】
2006222575.tif 000008
【図７】
2006222575.tif 000009
【図８】
2006222575.tif 000010
【図９】
2006222575.tif 000011